(57)【要約】【課題】  マーカなどから発生する光により標本が観察し難くなることを防止することができる観察装置を提供する。【解決手段】  標本における第１の領域から発生した光に係る第１の像１１Ｐに関する動きを検出する第１の撮像部と、標本における第２の領域から発生した光に係る第２の像１５Ｐを観察する第２の撮像部と、第１の撮像部の検出信号に基づいて、第２の撮像部における略同一位置に第２の像１５Ｐを結像させる駆動部と、を備え、第１の像１１Ｐには、少なくとも第２の像１５Ｐとは異なる像１１Ｐ´が含まれ、異なる像１１Ｐ´に係る第１の撮像部の検出信号に基づいて、駆動部が第２の像１５Ｐの結像位置を制御することを特徴とする。【選択図】  図２
2008052139.tif 000002
【特許請求の範囲】
【請求項１】
標本における第１の領域から発生した光に係る第１の像に関する動きを検出する第１の撮像部と、
前記標本における第２の領域から発生した光に係る第２の像を観察する第２の撮像部と、
前記第１の撮像部の検出信号に基づいて、前記第２の撮像部における略同一位置に前記第２の像を結像させる駆動部と、を備え、
前記第１の像には、少なくとも前記第２の像とは異なる像が含まれ、
該異なる像に係る前記第１の撮像部の検出信号に基づいて、前記駆動部が前記第２の像の結像位置を制御する観察装置。
【請求項２】
前記第１の像には、少なくとも前記第１の領域における第２の領域とは異なる領域に関する像が含まれている請求項１記載の観察装置。
【請求項３】
前記第１の撮像部および前記第２の撮像部の少なくとも一方の配置位置が移動されることにより、
前記第１の像に、前記第１の領域における第２の領域とは異なる領域に関する像が形成される請求項２記載の観察装置。
【請求項４】
前記第１の像のサイズが前記第２の像のサイズより大きい請求項２記載の観察装置。
【請求項５】
前記第２の領域から発生した光が前記第２の撮像部に入射する光路には、前記第２の撮像部に入射する光の一部を遮る遮蔽部が設けられている請求項２記載の観察装置。
【請求項６】
前記第１の領域から発生した光を前記第１の像として前記第１の撮像部に結像させる第１の光学系と、
前記第２の領域から発生した光を前記第２の像として前記第２の撮像部に結像させる第２の光学系と、
が設けられ、
前記第１の光学系の倍率が、前記第２の光学系の倍率より低い請求項２記載の観察装置。
【請求項７】
前記第１の像には、少なくとも前記第２の像に係る波長とは異なる波長に関する像が含まれている請求項１記載の観察装置。
【請求項８】
前記標本から第１の光を発生させる第１の照明光を前記第１の領域に照射するとともに、
前記標本から第２の光を発生させる第２の照明光を前記第２の領域に照射し、
前記第１の光には、少なくとも前記第２の光に係る波長とは異なる波長に関する光が含まれている請求項７記載の観察装置。
【請求項９】
前記第１の照明光の光量と、前記第２の照明光の光量とが、それぞれ独立して制御される請求項８記載の観察装置。
【請求項１０】
前記第１の照明光を出射する第１の照明部と、
前記第２の照明光を出射する第２の照明部と、
が備えられている請求項８または９に記載の観察装置。
【発明の詳細な説明】
【技術分野】
【０００１】
本発明は、観察装置に関し、特に、マウス等の哺乳類の生体を感察する観察装置に関する。
【背景技術】
【０００２】
従来、生体内の組織の観察としては、生体を大きく切開して被観察部位を露出させた状態での観察や、組織の被観察部位を切除して取り出した状態での観察等が行われている。
生体等の観察においては、観察部位などの標本が動くため、観察者が標本像を観察しつつ標本が観察視野の中央にくるように電動ステージを操作している。
また、標本が観察視野の中央に位置するように、自動的に電動ステージなどを制御する観察装置などが提案されている。
【０００３】
ビデオカメラが撮像した標本の画像データと基準画像データとを比較し、標本の移動を検出することにより、電動ステージの移動を制御して標本像を顕微鏡の視野中央に自動調整する観察装置が提案されている（例えば、特許文献１参照。）。
【特許文献１】特開平０７−２５３５４８号公報
【発明の開示】
【発明が解決しようとする課題】
【０００４】
上述のように、画像データに基づいて標本の移動を検出する場合、標本の表面に蛍光等を発生するマーカを配置し、当該マーカから発生する蛍光等に基づいて標本の移動を検出する方法が知られている。
しかしながら、マーカから発生する蛍光等は、標本自体から発生する蛍光等と比較して強度が強く、標本の観察に影響を与えるという問題があった。
また、マーカから発生する蛍光等の強度を低くすると、標本の移動を精度よく検出することが難しくなり、標本の観察に影響を与えるという問題があった。
【０００５】
本発明は、上記の課題を解決するためになされたものであって、マーカなどから発生する光により標本が観察し難くなることを防止することができる観察装置を提供することを目的とする。
【課題を解決するための手段】
【０００６】
上記目的を達成するために、本発明は、以下の手段を提供する。
本発明は、標本における第１の領域から発生した光に係る第１の像に関する動きを検出する第１の撮像部と、前記標本における第２の領域から発生した光に係る第２の像を観察する第２の撮像部と、前記第１の撮像部の検出信号に基づいて、前記第２の撮像部における略同一位置に前記第２の像を結像させる駆動部と、を備え、前記第１の像には、少なくとも前記第２の像とは異なる像が含まれ、該異なる像に係る前記第１の撮像部の検出信号に基づいて、前記駆動部が前記第２の像の結像位置を制御する観察装置を提供する。
【０００７】
本発明によれば、標本における第１の領域から発生した光は第１の撮像部に結像され、第１の像を形成する。第１の撮像部は第１の像に基づいて検出信号を出力する。一方、第２の領域から発生した光は第２の撮像部に結像され、第２の像を形成する。駆動部は、上記異なる像に係る第１の撮像部の検出信号に基づいて、第２の像の結像位置を第１の撮像部における略同一位置に結像させている。そのため、第２の撮像部は、静止した第２の像を撮像できる。
例えば、第２の像に含まれない上記異なる像に、輝度の高い領域が含まれている場合には、駆動部は当該高輝度領域に関する検出信号に基づいて、第２の像の結像位置を容易に制御することができる。また、第２の像には、当該高輝度領域が含まれていないため、第２の領域における標本の観察が行い難くなることを防止できる。
【０００８】
上記発明においては、前記第１の像には、少なくとも前記第１の領域における第２の領域とは異なる領域に関する像が含まれていることが望ましい。
本発明によれば、第１の像に含まれる第２の領域とは異なる領域に関する像に、輝度の高い領域が含まれている場合には、駆動部は当該高輝度領域に関する検出信号に基づいて、第２の像の結像位置を容易に制御することができる。また、第２の像には、上記高輝度領域が含まれていないため、上記高輝度領域より輝度の低い標本の観察が行い難くなることを防止できる。
【０００９】
上記発明においては、前記第１の撮像部および前記第２の撮像部の少なくとも一方の配置位置が移動されることにより、前記第１の像に、前記第１の領域における第２の領域とは異なる領域に関する像が形成されることが望ましい。
【００１０】
本発明によれば、第１の撮像部および第２の撮像部の少なくとも一方の配置位置を移動させることにより、第１の像に、少なくとも第１の領域に関する像であって、第２の領域とは異なる領域に関する像を形成することができる。例えば、第２の撮像部の配置位置を移動させることにより、第２の領域を移動させ、第２の領域に含まれない領域（第２の領域とは異なる領域）を第１の領域に形成することができる。
【００１１】
上記発明においては、前記第１の像のサイズが前記第２の像のサイズより大きいことが望ましい。
本発明によれば、第２の像より大きいサイズを有する第１の像に、第１の領域に関する像であって、第２の領域とは異なる領域に関する像を含ませることができる。
【００１２】
上記発明においては、前記第２の領域から発生した光が前記第２の撮像部に入射する光路には、前記第２の撮像部に入射する光の一部を遮る遮蔽部が設けられていることが望ましい。
本発明によれば、第２の領域から発生した光が第２の撮像部に入射する光路に設けられた遮蔽部が、第２の撮像部に入射する光の一部を遮るので、第１の像には、少なくとも第１の領域に関する像であって、第２の領域とは異なる領域に関する像を含ませることができる。つまり、遮蔽部は、第２の撮像部に入射する上記異なる領域から発生した光を遮ることができる。
また、遮蔽部は、第２の撮像部に入射する光の一部を遮り、第２の像のサイズを小さくすることにより、第１の像のサイズを第２の像のサイズより大きくさせることができる。
【００１３】
上記発明においては、前記第１の領域から発生した光を前記第１の像として前記第１の撮像部に結像させる第１の光学系と、前記第２の領域から発生した光を前記第２の像として前記第２の撮像部に結像させる第２の光学系と、が設けられ、前記第１の光学系の倍率が、前記第２の光学系の倍率より低いことが望ましい。
【００１４】
本発明によれば、第１光学系の倍率が第２の光学系の倍率より低いため、第１の撮像部に撮像された第１の像には、第１の領域から発生した光に係る像であって、第２の像に係る第２の領域とは異なる領域から発生した光に係る像が含まれている。そのため、例えば、上記異なる領域に関する像に、輝度の高い領域が含まれている場合には、駆動部は当該高輝度領域に関する検出信号に基づいて、第２の像の結像位置を容易に制御することができる。また、第２の像には、当該高輝度領域が含まれていないため、第２の領域における標本の観察が行い難くなることを防止できる。
【００１５】
上記発明においては、前記第１の像には、少なくとも前記第２の像に係る波長とは異なる波長に関する像が含まれていることが望ましい。
本発明によれば、少なくとも第２の像に係る波長とは異なる波長に関する像に、輝度の高い像が含まれている場合には、駆動部は当該輝度の高い像に関する検出信号に基づいて、第２の像の結像位置を容易に制御することができる。また、第２の像には、上記輝度の高い像が含まれていないため、輝度の低い標本の観察が行い難くなることを防止できる。
【００１６】
上記発明においては、前記標本から第１の光を発生させる第１の照明光を前記第１の領域に照射するとともに、前記標本から第２の光を発生させる第２の照明光を前記第２の領域に照射し、前記第１の光には、少なくとも前記第２の光に係る波長とは異なる波長に関する光が含まれていることが望ましい。
【００１７】
本発明によれば、第１の照明光を標本に照射して、少なくとも第２の光に係る波長とは異なる波長に関する光を発生させ、第２の照明光を標本に照射して、第２の光を発生させているため、上記異なる波長に関する像を確実に生成することができる。
【００１８】
上記発明においては、前記第１の照明光の光量と、前記第２の照明光の光量とが、それぞれ独立して制御されることが望ましい。
本発明によれば、上記第１の光の光量と上記第２の光の光量とを、それぞれ独立して制御することができる。そのため、第１の像と第２の像とをより確実に撮像することができる。
例えば、第１の撮像部の撮像速度が第２の撮像部の撮像速度より速い場合には、第１の照明光の光量を第２の照明光の光量よりも増やすことにより、第１の撮像部により撮像された画像が、第２の撮像部により撮像された画像よりも暗くなることを防ぎ、第１および第２の像をより確実に撮像することができる。
【００１９】
上記発明においては、前記第１の照明光を出射する第１の照明部と、前記第２の照明光を出射する第２の照明部と、が備えられていることが望ましい。
本発明によれば、第１の照明部と第２の照明部とを備えることにより、第１の照明光と第２の照明光とを別々に出射することができるとともに、第１の照明光および第２の照明光それぞれの光量を別々に制御することができる。
【発明の効果】
【００２０】
本発明の観察装置によれば、第１の像における第２の像とは異なる像に係る検出信号に基づいて、駆動部が第２の像の結像位置を制御するため、マーカなどから発生する光により標本が観察し難くなることを防止することができるという効果を奏する。
【発明を実施するための最良の形態】
【００２１】
〔第１の実施形態〕
以下、本発明の第１の実施形態について図１から図４を参照して説明する。
図１は、本実施形態に係る観察装置の構成を説明する概略図である。
観察装置１は、図１に示すように、光源３と、第１ダイクロイックミラー５と、第２ダイクロイックミラー７と、対物レンズ系９と、第１の結像レンズ系１０と、第１の撮像部１１と、第２の結像レンズ系１２と、第２の撮像部１５と、駆動制御部（駆動部）１７と、表示部１９とを備えている。
【００２２】
光源３は、標本ＳおよびマーカＭから蛍光を発生させる照明光を出射するものであって、第１ダイクロイックミラー５に向けて照明光を出射するものである。
第１ダイクロイックミラー５は、光源３から入射した照明光を第２ダイクロイックミラー７に向けて反射するとともに、第２ダイクロイックミラー７から入射した反射光を透過して第２の撮像部１５に入射させるものである。
【００２３】
第２ダイクロイックミラー７は、第１ダイクロイックミラー５から入射した照明光を対物レンズ系９に向けて反射するものである。一方で、第２ダイクロイックミラー７は、対物レンズ系９から入射した反射光の一部を透過して第１の撮像部１１に入射させるとともに、残りの反射光を反射して第１ダイクロイックミラー５に入射させるものである。
【００２４】
対物レンズ系９は、入射した照明光を標本Ｓに照射するとともに、標本Ｓから反射した反射光を第２ダイクロイックミラー７に出射するものである。対物レンズ系９における図１のＸ軸方向およびＹ軸方向に関する配置位置は、駆動制御部１７により制御されている。
【００２５】
第１の結像レンズ系１０は、標本ＳおよびマーカＭから発生した蛍光を第１の撮像部１１の上に結像させるレンズ系である。第１の結像レンズ系１０は、第２ダイクロイックミラー７と第１の撮像部１１との間に配置されている。つまり、第２ダイクロイックミラー７から出射された光は、第１の結像レンズ系１０に入射されているとともに、第１の結像レンズ系１０から出射した光は、第１の撮像部１１に入射されている。
【００２６】
図２は、図１の第１の撮像部および第２の撮像部の撮像領域を説明する図である。
第１の撮像部１１は、標本Ｓから発生した蛍光の像を撮像するものであって、第１の撮像部１１の上に結像した標本Ｓの蛍光像の動きを検出するものである。第１の撮像部１１は、ＣＣＤ（Ｃｈａｒｇｅ  Ｃｏｕｐｌｅｄ  Ｄｅｖｉｃｅｓ）などの撮像素子を複数備えている。本実施形態においては、第１の撮像部１１による撮像領域１１Ｒおよび視野ＲＶの相対的な大きさが、図２に示すように、撮像領域１１Ｒが視野ＲＶに略内接する場合について適用して説明する。
なお、第１の撮像素子は上述のようにＣＣＤであってもよいし、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの公知の撮像素子であってもよく、特に限定するものではない。
【００２７】
第１の撮像部１１と第２ダイクロイックミラー７との間には、図１に示すように、第１の吸収フィルタ２３が配置されている。第１の吸収フィルタ２３は、第１の撮像部１１に入射する反射光のうち所定波長の光、例えば光源３から出射される照明光を吸収し、それ以外の波長の光、例えば標本Ｓなどから発生した蛍光を透過するものである。
を吸収するものである。
【００２８】
第２の結像レンズ系１２は、標本ＳおよびマーカＭから発生した蛍光を第２の撮像部１５の上に結像させるレンズ系である。第２の結像レンズ系１２は、第１ダイクロイックミラー５と第２の撮像部１５との間に配置されている。つまり、第２ダイクロイックミラー７から出射された光は、第２の結像レンズ系１２に入射されているとともに、第２の結像レンズ系１２から出射した光は、第２の撮像部１５に入射されている。
【００２９】
第２の撮像部１５は、標本Ｓから反射した反射光を撮像するものであって、標本Ｓの像を撮像するものである。
第２の撮像部１５には、ＣＣＤなどの第２の撮像素子が複数備えられている。本実施形態においては、第２の撮像部１５による撮像領域１５Ｒ，撮像領域１１Ｒおよび視野ＲＶの相対的な大きさが、図２に示すように、撮像領域１５Ｒが撮像領域１１Ｒに内包
される場合について適用して説明する。具体的には、図２の点線で示すように、撮像領域１５Ｒの横方向（図２における左右方向）の大きさが撮像領域１１Ｒと略等しく、撮像領域１５Ｒの縦方向（図２における上下方向）の大きさが撮像領域１１Ｒよりも小さい場合に適用して説明する。
なお、第２の撮像素子は上述のようにＣＣＤであってもよいし、ＣＭＯＳなどの公知の撮像素子であってもよく、特に限定するものではない。
【００３０】
第２の撮像部１５と第１ダイクロイックミラー５との間には、図１に示すように、第２の吸収フィルタ２７が配置されている。第２の吸収フィルタ２７は、第２の撮像部１５に入射する反射光のうち所定波長の光、例えば光源３から出射される照明光を吸収し、それ以外の波長の光、例えば標本Ｓなどから発生した蛍光を透過するものである。
【００３１】
駆動制御部１７は第１の撮像部１１からの出力に基づいて、対物レンズ系９における図１のＸ軸方向およびＹ軸方向に関する配置位置を駆動制御するものである。駆動制御部１７には、第１の撮像部１１の出力が入力されている。
【００３２】
表示部１９は、第１の撮像部１１および第２の撮像部１５により撮像された標本Ｓの蛍光像を表示するものである。表示部１９には、第１の撮像部１１および第２の撮像部１５からの出力が入力されている。
【００３３】
次に、上記の構成からなる観察装置１における作用について説明する。
観察装置１による標本Ｓの蛍光像を観察する前に、標本Ｓに蛍光を発生するマーカＭを分散配置する。本実施形態においては、マーカＭが蛍光を発生するビーズである場合に適用して説明する。マーカＭは異なる直径のビーズ、例えば、直径９μｍや３μｍのビーズを含んでいることが好ましい。標本Ｓの観察倍率を変更した際に、蛍光像の結像位置の制御に最適な大きさのビーズをマーカＭとして選択することができるからである。
【００３４】
マーカＭは、コラーゲンなどの媒質により標本Ｓに取り付けられる。媒質としては、低温で粘度が低くなり、高温で粘度が高くなる生体適合性のある媒質であればよく、コラーゲンのほかに、片栗粉などを例示することができる。
なお、上述の実施形態のように、マーカＭとして異なる直径の複数のビーズを用いてもよいし、同心球状のビーズを用いてもよく特に限定するものではない。
【００３５】
標本Ｓの蛍光像を観察する場合には、図１に示すように、光源３から照明光が第１ダイクロイックミラー５に向けて出射される。第１ダイクロイックミラー５に入射した照明光は、第２ダイクロイックミラー７に向けて反射される。第２ダイクロイックミラー７に入射した照明光は、対物レンズ系９に向けて反射される。対物レンズ系９に入射した照明光は、標本ＳおよびマーカＭに照射される。
【００３６】
照明光が照射された標本ＳおよびマーカＭは、それぞれ蛍光を発生する。蛍光は対物レンズ系９に入射し、第２ダイクロイックミラー７に入射される。第２ダイクロイックミラー７は、蛍光の一部を透過するとともに残りを反射する。
第２ダイクロイックミラー７を透過した蛍光は、第１の吸収フィルタ２３に入射する。第１の吸収フィルタ２３は、入射した蛍光の一部を吸収して、残りの蛍光を透過する。第１の吸収フィルタ２３を透過した蛍光は、第１の結像レンズ系１０を介して第１の撮像部１１に入射する。
【００３７】
一方、第２ダイクロイックミラー７を反射した蛍光は、第１ダイクロイックミラー５に入射する。第１ダイクロイックミラー５は入射した蛍光を透過する。透過した蛍光は第２の吸収フィルタ２７に入射し、その一部が第２の吸収フィルタ２７に吸収される。残りの蛍光は、第２の吸収フィルタ２７を透過し、第２の結像レンズ系１２を介して第２の撮像部１５に入射する。
【００３８】
図３は、図１の標本における第１の領域および第２の領域の位置関係を説明する図である。
第１の撮像部１１における撮像領域１１Ｒには、図３に示すように、標本ＳおよびマーカＭを含む第１の領域Ｓ１から発生した蛍光からなる第１の像１１Ｐが結像する（図２参照）。マーカＭの蛍光像Ｆは、図２に示すように、第１の像１１Ｐであって撮像領域１５Ｒに関する第２の像１５Ｐに含まれない領域１１Ｒ´に係る像（異なる像）１１Ｐ´に含まれた状態で結像されている。
一方、第２の撮像部１５における撮像領域１５Ｒには、図３に示すように、標本Ｓのみからなる第２の領域Ｓ２から発生した蛍光からなる第２の像１５Ｐが結像する（図２参照）。マーカＭの蛍光像Ｆは、図２に示すように、撮像領域１５Ｒに含まれない領域１１Ｒ´に結像されているため、第２の像１５Ｐは標本Ｓの蛍光像のみの像として結像されている。
【００３９】
ここで、駆動制御部１７による蛍光像の第２の撮像部１５における結像位置の制御方法を説明する。
標本Ｓが移動すると、図１に示すように、標本Ｓに固定されたマーカＭも共に移動する。マーカＭが移動すると、図２に示すように、第１の撮像部１１に関する領域１１Ｒ´に結像したマーカＭの蛍光像Ｆも移動する。第１の撮像部１１からは蛍光像Ｆの移動に関する検出信号が出力される。
【００４０】
第１の撮像部１１からの検出信号は、駆動制御部１７に入力される。駆動制御部１７は、入力された検出信号に基づいて対物レンズ系９の配置位置を制御する。具体的には、駆動制御部１７は、入力された検出信号の変化に基づいて、標本Ｓの移動方向を算出する。そして、駆動制御部１７は、算出した標本Ｓの移動方向に基づいて、蛍光像Ｆが領域１１Ｒ´に結像するとともに、標本Ｓの蛍光像が第１の撮像部１１および第２の撮像部１５の略中央に位置するように、対物レンズ系９のＸ軸方向およびＹ軸方向に関する配置位置を制御する。そのため、第２の撮像素子２５から標本Ｓの蛍光像が移動することはない。
【００４１】
次に、第２の撮像部１５により撮像された蛍光像の表示方法について説明する。
図４は、図１の表示部における表示画像を説明する図である。
第２の撮像部１５は、標本Ｓの蛍光像に基づいて撮像信号を出力する。第２の撮像部１５から出力された撮像信号は、表示部１９に入力される。表示部１９は、入力された撮像信号に基づいて画像データを生成し、図４に示すように、観察画像２９を表示する。
一方、表示部１９には、第１の撮像部１１から標本ＳおよびマーカＭの蛍光像に基づいて出力された画像信号が入力される。表示部１９は、入力された撮像信号に基づいて画像データを生成し、図４に示すように、制御用画像３１を表示する。
観察画像２９と制御用画像３１は、図３に示すように、表示部１９に同時に表示されるとともに、別々の領域に表示される。
【００４２】
上記の構成によれば、標本Ｍにおける第１の領域Ｓ１から発生した蛍光は第１の撮像部１１に結像され、第１の像１１Ｐを形成する。第１の撮像部１１は第１の像１１Ｐに基づいて検出信号を出力する。一方、第２の領域Ｓ２から発生した光は第２の撮像部１５に結像され、第２の像１５Ｐを形成する。駆動制御部１７は、上記異なる像１１Ｐ´に係る第１の撮像部１１の検出信号に基づいて、第２の像１５Ｐの結像位置を第１の撮像部１１における略同一位置に結像させている。そのため、第２の撮像部１５は、静止した第２の像１５Ｐを撮像できる。
【００４３】
第１の像１１Ｐのサイズが第２の像１５Ｐのサイズより大きいため、第１の像１１Ｐに第１の領域Ｓ１に関する像であって、第２の領域Ｓ２とは異なる領域１１Ｒ´に関する像（異なる像）１１Ｐ´を含ませることができる。そのため、上記異なる像１１Ｐ´に、輝度の高いマーカＭの蛍光像Ｆ（高輝度領域）が含まれている場合には、駆動制御部１７は蛍光像Ｆに関する検出信号に基づいて、第２の像１５Ｐの結像位置を容易に制御することができる。また、第２の像１５Ｐには、蛍光像Ｆが含まれていないため、蛍光像Ｆよりも輝度の低い標本Ｍの観察が行い難くなることを防止できる。
【００４４】
なお、上述の実施形態のように、撮像領域１１Ｒおよび撮像領域１５Ｒの配置関係が固定されていてもよいし、第１の撮像部１１および第２の撮像部１５の少なくとも一方が移動することにより、撮像領域１１Ｒおよび撮像領域１５Ｒの配置関係を変更可能に構成してもよく、特に限定するものではない。
このような構成とすることにより、例えば、第２の撮像部１５の配置位置を移動させて、第２の撮像部１５の配置位置を移動させることにより、撮像領域１５Ｒを移動させ、撮像領域１５Ｒに含まれない領域（第２の領域とは異なる領域１１Ｒ´）を撮像領域１１Ｒに形成することができる。
【００４５】
図５は、図１の第１の撮像部および第２の撮像部における別の撮像領域の例を説明する図である。
なお、上述の実施形態のように、撮像領域１５Ｒが撮像領域１１Ｒに含まれるように、各撮像領域１１Ｒ，１５Ｒを設定してもよいし、図５に示すように、各撮像領域１１Ｒ，１５Ｒが重ならないように設定してもよく、特に限定するものではない。
【００４６】
〔第１の実施形態の第１変形例〕
次に、本発明の第１の実施形態の第１変形例について図６および図７を参照して説明する。
本変形例の観察装置の基本構成は、第１の実施形態と同様であるが、第１の実施形態とは、第２の像を結像させる方法が異なっている。よって、本変形例においては、図６および図７を用いて第２の撮像部の周辺のみを説明し、その他の構成要素等の説明を省略する。
図６は、本変形例に係る観察装置の構成を説明する概略図である。
なお、第１の実施形態と同一の構成要素については、同一の符号を付してその説明を省略する。
【００４７】
観察装置１０１は、図６に示すように、光源３と、第１ダイクロイックミラー５と、第２ダイクロイックミラー７と、対物レンズ系９と、第１の結像レンズ系１０と、第１の撮像部１１と、遮蔽板（遮蔽部）１１２と、第２の結像レンズ系１２と、第２の撮像部１５と、駆動制御部１７と、表示部１９とを備えている。
【００４８】
遮蔽板１１２は、第１ダイクロイックミラー５と第２の吸収フィルタ２７との間に配置された板状の部材である。遮蔽板１１２は、第２の撮像部１５に入射する蛍光の一部を遮るようにスライド移動可能に支持されている。
【００４９】
次に、上記の構成からなる観察装置１０１における作用について説明する。
なお、標本ＳにマーカＭを分散配置させて、標本ＳおよびマーカＭから蛍光を発生させるまでは、第１の実施形態と同様であるのでその説明を省略する。
【００５０】
照明光が照射されると、標本ＳおよびマーカＭからそれぞれ蛍光が発生される。蛍光は対物レンズ系９に入射し、第２ダイクロイックミラー７に入射される。第２ダイクロイックミラー７は、蛍光の一部を透過するとともに残りを反射する。
第２ダイクロイックミラー７を透過した蛍光は、第１の吸収フィルタ２３に入射する。第１の吸収フィルタ２３は、入射した蛍光の一部を吸収して、残りの蛍光を透過する。第１の吸収フィルタ２３を透過した蛍光は、第１の結像レンズ系１０を介して第１の撮像部１１に入射する。
【００５１】
一方、第２ダイクロイックミラー７を反射した蛍光は、第１ダイクロイックミラー５に入射して、第１ダイクロイックミラー５を透過する。透過した蛍光の一部は遮蔽板１１２により遮光され、残りの蛍光は第２の吸収フィルタ２７に入射する。第２の吸収フィルタ２７に入射した蛍光は、その一部が第２の吸収フィルタ２７に吸収され、残りの蛍光は、第２の吸収フィルタ２７を透過する。透過した蛍光は、第２の結像レンズ系１２を介して第２の撮像部１５に入射する。
【００５２】
図７は、図６の第１の撮像部および第２の撮像部の撮像領域を説明する図である。
第１の撮像部１１における撮像領域１１Ｒには、図７に示すように、標本ＳおよびマーカＭを含む第１の領域Ｓ１から発生した蛍光からなる第１の像１１Ｐが結像する（図２参照）。マーカＭの蛍光像Ｆは、図７に示すように、第１の像１１Ｐであって撮像領域１１５Ｒに関する第２の像１１５Ｐに含まれない領域１１Ｒ´に係る像（異なる像）１１Ｐ´に含まれた状態で結像されている。
一方、第２の撮像部１５における撮像領域１１５Ｒには、図７に示すように、標本Ｓから発生した蛍光のうち、遮蔽板１１２を透過した蛍光からなる第２の像１１５Ｐが結像する。マーカＭの蛍光像Ｆは、撮像領域１１５Ｒに含まれない領域１１Ｒ´に結像されているため、第２の像１１５Ｐは標本Ｓの蛍光像のみの像として結像されている。
【００５３】
以後、駆動制御部１７による蛍光像の第２の撮像部１５における結像位置の制御方法や、蛍光像の表示方法については、第１の実施形態と同様であるのでその説明を省略する。
【００５４】
上記の構成によれば、第２の領域Ｓ２から発生した光が第２の撮像部１５に入射する光路に設けられた遮蔽板１１２が、第２の撮像部１５に入射する蛍光の一部を遮ることができるため、第１の像１１Ｐには、少なくとも第１の領域Ｓ１に関する像であって、第２の領域Ｓ２とは異なる領域に関する像１１Ｐ´を含ませることができる。つまり、遮蔽板１１２は、第２の撮像部１５に入射する上記異なる領域から発生した光を遮ることができる。
また、遮蔽板１１２は、第２の撮像部１５に入射する光の一部を遮り、第２の像１１５Ｐのサイズを小さくすることにより、第１の像１１Ｐのサイズを第２の像１１５Ｐのサイズより大きくさせることができる。
【００５５】
〔第１の実施形態の第２変形例〕
次に、本発明の第１の実施形態の第２変形例について図８から図１０を参照して説明する。
本変形例の観察装置の基本構成は、第１の実施形態と同様であるが、第１の実施形態とは、第１および第２の像を結像させる方法が異なっている。よって、本変形例においては、図８から図１０を用いて第１および第２の撮像部の周辺のみを説明し、その他の構成要素等の説明を省略する。
図８は、本変形例に係る観察装置の構成を説明する概略図である。
なお、第１の実施形態と同一の構成要素については、同一の符号を付してその説明を省略する。
【００５６】
観察装置２０１は、図８に示すように、光源３と、第１ダイクロイックミラー５と、第２ダイクロイックミラー７と、対物レンズ系（第１の光学系，第２の光学系）２０９と、第１の結像レンズ系（第１の光学系）２１０と、第１の撮像部１１と、第２の結像レンズ系（第２の光学系）２１２と、第２の撮像部１５と、駆動制御部１７と、表示部１９とを備えている。
【００５７】
対物レンズ系２０９は、入射した照明光を標本Ｓに照射するとともに、標本Ｓから反射した反射光を第２ダイクロイックミラー７に出射するものである。対物レンズ系２０９における図８のＸ軸方向およびＹ軸方向に関する配置位置は、駆動制御部１７により制御されている。
【００５８】
第１の結像レンズ系２１０は、標本ＳおよびマーカＭから発生した蛍光を第１の撮像部１１の上に結像させるレンズ系である。第１の結像レンズ系２１０は、第２ダイクロイックミラー７と第１の撮像部１１との間に配置されている。つまり、第２ダイクロイックミラー７から出射された光は、第１の結像レンズ系２１０に入射されているとともに、第１の結像レンズ系２１０から出射した光は、第１の撮像部１１に入射されている。
なお、対物レンズ系２０９および第１の結像レンズ系２１０からなる光学系の倍率は、対物レンズ系２０９および第２の結像レンズ系２１２からなる光学系の倍率よりも低くなるように設定されている。
【００５９】
第２の結像レンズ系２１２は、標本ＳおよびマーカＭから発生した蛍光を第２の撮像部１５の上に結像させるレンズ系である。第２の結像レンズ系２１２は、第１ダイクロイックミラー５と第２の撮像部１５との間に配置されている。つまり、第２ダイクロイックミラー７から出射された光は、第２の結像レンズ系２１２に入射されているとともに、第２の結像レンズ系１２から出射した光は、第２の撮像部１５に入射されている。
なお、対物レンズ系２０９および第２の結像レンズ系２１２からなる光学系の倍率は、対物レンズ系２０９および第１の結像レンズ系２１０からなる光学系の倍率よりも高くなるように設定されている。
【００６０】
図９は、図８の第１の撮像部および第２の撮像部の撮像領域を説明する図である。
ここで、第１の撮像部１１における撮像領域２１１Ｒと、第２の撮像部１５における撮像領域２１５Ｒと、視野ＲＶとの相対関係について説明する。本実施形態においては、撮像領域２１１Ｒが視野ＲＶに略内接し、撮像領域２１５Ｒが撮像領域２１１Ｒに内包される場合について適用して説明する。
例えば、対物レンズ系２０９および第１の結像レンズ系２１０からなる光学系の倍率が１倍であって、当該光学系により蛍光像が撮像領域２１１Ｒに結像される一方、対物レンズ系２０９および第２の結像レンズ系２１２からなる光学系の倍率が４倍であって、当該光学系により蛍光像が撮像領域２１５Ｒに結像される場合などを例示できる。かかる場合において、マーカＭの蛍光像Ｆは、撮像領域２１１Ｒの領域内であって、撮像領域２１５Ｒに含まれない領域（図９における撮像領域２１１Ｒ内の右上領域）に結像されている。
【００６１】
次に、上記の構成からなる観察装置２０１における作用について説明する。
なお、標本ＳにマーカＭを分散配置させて、標本ＳおよびマーカＭから蛍光を発生させるまでは、第１の実施形態と同様であるのでその説明を省略する。
【００６２】
照明光が照射されると、標本ＳおよびマーカＭからそれぞれ蛍光が発生される。蛍光は対物レンズ系２０９に入射し、第２ダイクロイックミラー７に入射される。第２ダイクロイックミラー７は、蛍光の一部を透過するとともに残りを反射する。
第２ダイクロイックミラー７を透過した蛍光は、第１の吸収フィルタ２３に入射する。第１の吸収フィルタ２３は、入射した蛍光の一部を吸収して、残りの蛍光を透過する。第１の吸収フィルタ２３を透過した蛍光は、第１の結像レンズ系２１０を介して第１の撮像部１１に入射する。
【００６３】
一方、第２ダイクロイックミラー７を反射した蛍光は、第１ダイクロイックミラー５に入射して、第１ダイクロイックミラー５を透過する。透過した蛍光は第２の吸収フィルタ２７に入射し、その一部が第２の吸収フィルタ２７に吸収され、残りの蛍光は、第２の吸収フィルタ２７を透過する。透過した蛍光は、第２の結像レンズ系２１２を介して第２の撮像部１５に入射する。
【００６４】
図１０は、図８の標本における第１の領域および第２の領域の位置関係を説明する図である。
第１の撮像部１１における撮像領域２１１Ｒには、図９に示すように、標本ＳおよびマーカＭを含む第１の領域Ｓ１から発生した蛍光からなる第１の像２１１Ｐが結像する（図１０参照）。マーカＭの蛍光像Ｆは、図９に示すように、第１の像２１１Ｐであって撮像領域２１５Ｒに関する第２の像２１５Ｐに含まれない領域２１１Ｒ´に係る像（異なる像）２１１Ｐ´に含まれた状態で結像されている。
一方、第２の撮像部１５における撮像領域２１５Ｒには、図９に示すように、標本Ｓの第２の領域Ｓ２から発生した蛍光からなる第２の像２１５Ｐが結像する（図１０参照）。マーカＭの蛍光像Ｆは、撮像領域２１５Ｒに含まれない領域２１１Ｒ´に結像されているため、第２の像２１５Ｐは標本Ｓの蛍光像のみの像として結像されている。
【００６５】
以後、駆動制御部１７による蛍光像の第２の撮像部１５における結像位置の制御方法や、蛍光像の表示方法については、第１の実施形態と同様であるのでその説明を省略する。
【００６６】
上記の構成によれば、対物レンズ系２０９および第１の結像レンズ系２１０の倍率が対物レンズ系２０９および第２の結像レンズ系２１２の倍率より低いため、第１の撮像部１１に撮像された第１の像２１１Ｐには、第１の領域Ｓ１から発生した光に係る像であって、第２の像２１５Ｐに係る第２の領域Ｓ２とは異なる領域Ｓ１´から発生した光に係る像２１１Ｐ´が含まれている。
そのため、異なる領域Ｓ１´に関する像２１１Ｐ´に、マーカＭの蛍光像Ｆが含まれている場合には、駆動制御部１７は蛍光像Ｆに関する検出信号に基づいて、第２の像２１５Ｐの結像位置を容易に制御することができる。また、第２の像２１５Ｐには、蛍光像Ｆが含まれていないため、蛍光像Ｆよりも輝度の低い標本Ｍの観察が行い難くなることを防止できる。
【００６７】
〔第２の実施形態〕
次に、本発明の第２の実施形態について図１１から図１３を参照して説明する。
本実施形態の観察装置の基本構成は、第１の実施形態と同様であるが、第１の実施形態とは、照明に係る構成が異なっている。よって、本実施形態においては、図１１から図１３を用いて照明に係る構成の周辺のみを説明し、その他の構成要素等の説明を省略する。
図１１は、本実施形態に係る観察装置の構成を説明する概略図である。
なお、第１の実施形態と同一の構成要素については、同一の符号を付してその説明を省略する。
【００６８】
観察装置３０１は、図１１に示すように、光源３０３と、第１のダイクロイックミラー３０５Ａと、第２のダイクロイックミラー３０５Ｂと、第３のダイクロイックミラー３０７と、対物レンズ系９と、第１の結像レンズ系１０と、第１の撮像部３１１と、第２の結像レンズ系１２と、第２の撮像部３１５と、駆動制御部１７と、表示部１９とを備えている。
【００６９】
光源３０３は、標本ＳおよびマーカＭから蛍光を発生させる照明光を出射するものであって、第１のダイクロイックミラー３０５Ａおよび第２のダイクロイックミラー３０５Ｂに向けて照明光を出射するものである。
光源３０３と第１のダイクロイックミラー３０５Ａとの間にはハーフミラー３０８Ａが配置されている。ハーフミラー３０８Ａは光源３０３から出射された照明光を、第１のダイクロイックミラー３０５Ａに入射する照明光と、第２のダイクロイックミラー３０５Ｂに入射する照明光とに分けるものである。
【００７０】
ハーフミラー３０８Ａと第１のダイクロイックミラー３０５Ａとの間の光路上には、第１のＥＸフィルタ３０９Ａと、第１のＮＤフィルタ３１０Ａとが配置されている。第１のＥＸフィルタ３０９Ａと、第１のＮＤフィルタ３１０Ａとは、ハーフミラー３０８Ａを透過した照明光が入射する位置に配置されている。
一方、ハーフミラー３０８Ａと第２のダイクロイックミラー３０５Ｂとの間の光路上には、反射ミラー３０８Ｂと、第２のＥＸフィルタ３０９Ｂと、第２のＮＤフィルタ３１０Ｂとが配置されている。反射ミラー３０８Ｂは、ハーフミラー３０８Ａにより反射された照明光が入射する位置に配置されているとともに、反射した照明光が第２のダイクロイックミラー３０５Ｂに入射する位置および姿勢に配置されている。第２のＥＸフィルタ３０９Ｂと第２のＮＤフィルタ３１０Ｂとは、反射ミラー３０８Ｂにより反射された照明光が入射する位置に配置されている。
【００７１】
第１のダイクロイックミラー３０５Ａおよび第２のダイクロイックミラー３０５Ｂは、第３のダイクロイックミラー３０７と第２の撮像部３１５との間の光路上に配置されている。
第１のダイクロイックミラー３０５Ａは、第２のダイクロイックミラー３０５Ｂよりも第３のダイクロイックミラー３０７側に配置されているとともに、光源３０３から入射した照明光の一部を第３のダイクロイックミラー３０７に向けて反射する姿勢に配置されている。
ここで、第１のダイクロイックミラー３０５Ａは、標本Ｍから第１の撮像部３１１に撮像される第１の蛍光（第１の光）を励起させる所定波長の第１の照明光のみを反射し、残りの波長の光を透過するものである。そのため、第１のダイクロイックミラー３０５Ａは、後述する第２の蛍光を透過する。
【００７２】
第２のダイクロイックミラー３０５Ｂは、第１のダイクロイックミラー３０５Ａよりも第２の撮像部３１５側に配置されているとともに、光源３０３から入射した照明光の一部を第３のダイクロイックミラー３０７に向けて反射する姿勢に配置されている。
ここで、第２のダイクロイックミラー３０５Ｂは、標本Ｍから第２の撮像部３１５に撮像される第２の蛍光（第２の光）を励起させる所定波長の第２の照明光のみを反射し、残りの波長の光を透過するものである。そのため、第２のダイクロイックミラー３０５Ｂは、第２の蛍光を透過する。
【００７３】
第３のダイクロイックミラー３０７は、対物レンズ系９から第１の撮像部３１１に向かう光路と、対物レンズ系９から第２の撮像部３１５に向かう光路との分岐点に配置されている。また、第３のダイクロイックミラー３０７は、第１の照明光および第２の照明光を対物レンズ系９に向けて反射するとともに、第２の蛍光を第２の撮像部３１５に向けて反射する姿勢に配置さている。なお、第１の蛍光は第３のダイクロイックミラー３０７を透過する。
【００７４】
次に、上記の構成からなる観察装置３０１における作用について説明する。
標本Ｓに蛍光を発生するマーカＭを分散配置する方法については、第１の実施形態と同様であるので、その説明を省略する。
【００７５】
標本Ｓの蛍光像を観察する場合には、図１１に示すように、光源３０３から照明光がハーフミラー３０８Ａに向けて出射される。ハーフミラー３０８Ａに入射した照明光の約半分は、ハーフミラー３０８Ａを透過し、残りの照明光は反射される。
透過した照明光は、第１のＥＸフィルタ３０９Ａおよび第１のＮＤフィルタ３１０Ａを透過して第１のダイクロイックミラー３０５Ａに入射される。第１のダイクロイックミラー３０５Ａは第１の照明光のみを反射し、他の波長の照明光等は透過する。反射された第１の照明光は第３のダイクロイックミラー３０７に入射し、対物レンズ系９に向けて反射される。
対物レンズ系９に入射された第１の照明光は、標本ＳおよびマーカＭに向けて出射される。
【００７６】
ハーフミラー３０８Ａに反射された照明光は、反射ミラー３０８Ｂにより第２のダイクロイックミラー３０５Ｂに向けて反射される。反射された照明光は、第２のＥＸフィルタ３０９Ｂと第２のＮＤフィルタ３１０Ｂとを透過して第２のダイクロイックミラー３０５Ｂに入射される。第２のダイクロイックミラー３０５Ｂは第２の照明光のみを反射し、他の波長の照明光等は透過する。反射された第２の照明光は第３のダイクロイックミラー３０７に入射し、対物レンズ系９に向けて反射される。
対物レンズ系９に入射された第２の照明光は、標本ＳおよびマーカＭに向けて出射される。
【００７７】
第１および第２の照明光が照射された標本Ｓからは、それぞれ第１の蛍光および第２の蛍光が発生する。一方、マーカＭからは第１の蛍光のみが発生する。第１および第２の蛍光は、対物レンズ系９に入射して、第３のダイクロイックミラー３０７に入射される。
第３のダイクロイックミラー３０７に入射した第１の蛍光は、第３のダイクロイックミラー３０７を透過して、第１の吸収フィルタ２３を透過して第１の撮像部３１１に入射する。
【００７８】
第３のダイクロイックミラー３０７に入射した第２の蛍光は、第１および第２のダイクロイックミラー３０５Ａ，３０５Ｂに向けて反射される。反射された第２の蛍光は、第１および第２のダイクロイックミラー３０５Ａ，３０５Ｂを透過した後、第２の吸収フィルタ２７を透過して第２の撮像部３１５に入射する。
【００７９】
図１２は、図１１の第１の撮像部に結像される第１の蛍光像を説明する図である。
標本ＳおよびマーカＭから発生した第１の蛍光は、第１の結像レンズ系１０により第１の撮像部３１１の上に結像され、第１の蛍光像（第１の像）３１１Ｐが形成される（図１２参照）。
第１の撮像部３１１は、第１の蛍光像３１１Ｐを検出して検出信号を出力する。検出信号は駆動制御部１７に入力され、マーカＭの移動（標本Ｓの移動）が検出される。駆動制御部１７は、検出したマーカＭの移動に基づいて、後述する第２の蛍光像３１５Ｐが第２の撮像部３１５における同一位置に結像し続けるように、対物レンズ系９の配置位置を制御する。
【００８０】
図１３は、図１１の第２の撮像部に結像される第２の蛍光像を説明する図である。
一方、標本Ｓから発生した第２の蛍光は、第２の結像レンズ系１２により第２の撮像部３１５の上に結像され、第２の蛍光像（第２の像）３１５Ｐが形成される（図１３参照）。
第２の撮像部３１５は、第２の蛍光像３１５Ｐを撮像して撮像信号を出力する。撮像信号は表示部１９に出力され、観察画像として表示される。また、表示部１９には、第１の撮像部３１１から第１の蛍光に係る像の撮像信号が入力され、制御用画像として表示される。
【００８１】
上記の構成によれば、第１の蛍光像３１１Ｐは、第２の蛍光像３１５Ｐに係る第２の蛍光とは異なる波長の第１の蛍光に関する像であるため、第１の蛍光像３１１Ｐに、輝度の高いマーカＭの蛍光像Ｆが含まれている場合には、駆動制御部１７は蛍光像Ｆに関する検出信号に基づいて、第２の蛍光像３１５Ｐの結像位置を容易に制御することができる。また、第２の蛍光像３１５Ｐには、蛍光像Ｆが含まれていないため、輝度の低い標本Ｍの観察が行い難くなることを防止できる。
【００８２】
第１の照明光を標本Ｍに照射して、第２の蛍光に係る波長とは異なる波長に関する第１の蛍光を発生させ、第２の照明光を標本Ｍに照射して、第２の蛍光を発生させているため、第１の蛍光像３１１Ｐを確実に生成することができる。
【００８３】
〔第２の実施形態の第１変形例〕
次に、本発明の第２の実施形態の第１変形例について図１４を参照して説明する。
本変形例の観察装置の基本構成は、第２の実施形態と同様であるが、第２の実施形態とは、照明に係る構成が異なっている。よって、本変形例においては、図１４を用いて照明に係る構成の周辺のみを説明し、その他の構成要素等の説明を省略する。
図１４は、本変形例に係る観察装置の構成を説明する概略図である。
なお、第２の実施形態と同一の構成要素については同一の符号を付して、その説明を省略する。
【００８４】
観察装置４０１は、図１４に示すように、第１の光源（第１の照明部）４０３Ａと、第２の光源（第２の照明部）４０３Ｂと、第１のダイクロイックミラー３０５Ａと、第２のダイクロイックミラー３０５Ｂと、第３のダイクロイックミラー３０７と、対物レンズ系９と、第１の結像レンズ系１０と、第１の撮像部３１１と、第２の結像レンズ系１２と、第２の撮像部３１５と、駆動制御部１７と、表示部１９とを備えている。
【００８５】
第１の光源４０３Ａは、標本ＳおよびマーカＭから第１の蛍光を発生させる第１の照明光を出射するものであって、第１のダイクロイックミラー３０５Ａに向けて第１の照明光を出射するものである。また、第１の光源４０３Ａは、出射する第１の照明光の光量を調節することができるものである。
第２の光源４０３Ｂは、標本Ｓから第２の蛍光を発生させる第２の照明光を出射するものであって、第１のダイクロイックミラー３０５Ｂに向けて第２の照明光を出射するものである。また、第２の光源４０３Ｂは、出射する第２の照明光の光量を調節することができるものである。
【００８６】
次に、上記の構成からなる観察装置４０１における作用について説明する。
標本Ｓに蛍光を発生するマーカＭを分散配置する方法については、第１の実施形態と同様であるので、その説明を省略する。
【００８７】
標本Ｓの蛍光像を観察する場合には、図１４に示すように、第１の光源４０３Ａから第１の照明光が第１のダイクロイックミラー３０５Ａに向けて出射される。一方、第２の光源４０３Ｂから第２の照明光が第２のダイクロイックミラー３０５Ｂに向けて出射される。
ここで、第１の光源４０３Ａから出射される第１の照明光の光量と、第２の光源４０３Ｂから出射される第２の照明光の光量とは、別々に制御されている。
【００８８】
第１の照明光は、第１のＥＸフィルタ３０９Ａおよび第１のＮＤフィルタ３１０Ａを透過して第１のダイクロイックミラー３０５Ａに入射される。第１のダイクロイックミラー３０５Ａは第１の照明光のみを反射し、他の波長の光等は透過する。反射された第１の照明光は第３のダイクロイックミラー３０７に入射し、対物レンズ系９に向けて反射される。
対物レンズ系９に入射された第１の照明光は、標本ＳおよびマーカＭに向けて出射される。
【００８９】
第２の照明光は、第２のＥＸフィルタ３０９Ｂと第２のＮＤフィルタ３１０Ｂとを透過して第２のダイクロイックミラー３０５Ｂに入射される。第２のダイクロイックミラー３０５Ｂは第２の照明光のみを反射し、他の波長の光等は透過する。反射された第２の照明光は第３のダイクロイックミラー３０７に入射し、対物レンズ系９に向けて反射される。
対物レンズ系９に入射された第２の照明光は、標本ＳおよびマーカＭに向けて出射される。
【００９０】
標本ＳおよびマーカＭに第１および第２の照明光が照射された後の作用効果は、第２の実施形態と同様であるので、その説明を省略する。
【００９１】
上記の構成によれば、第１の光源４０３Ａと第２の光源４０３Ｂとを備えることにより、第１の照明光と第２の照明光とを別々に出射することができるとともに、第１の照明光および第２の照明光それぞれの光量を別々に制御することができる。
【００９２】
第１の照明光の光量と第２の照明光の光量とを、それぞれ独立して制御することにより、標本ＳおよびマーカＭから発生する第１の蛍光の光量と上記第２の蛍光の光量とを、それぞれ独立して制御することができる。そのため、第１の蛍光像と第２の蛍光像とをより確実に撮像することができる。
例えば、第１の撮像部３１１の撮像速度が第２の撮像部３１５の撮像速度より速い場合には、第１の照明光の光量を第２の照明光の光量よりも増やすことにより、第１の撮像部３１１により撮像された画像が、第２の撮像部３１５により撮像された画像よりも暗くなることを防ぎ、第１および第２の蛍光像をより確実に撮像することができる。
【００９３】
〔第２の実施形態の第２変形例〕
次に、本発明の第２の実施形態の第２変形例について図１５を参照して説明する。
本変形例の観察装置の基本構成は、第２の実施形態と同様であるが、第２の実施形態とは、照明に係る構成が異なっている。よって、本変形例においては、図１５を用いて照明に係る構成の周辺のみを説明し、その他の構成要素等の説明を省略する。
図１５は、本変形例に係る観察装置の構成を説明する概略図である。
なお、第２の実施形態と同一の構成要素については同一の符号を付して、その説明を省略する。
【００９４】
観察装置５０１は、図１５に示すように、第１の光源（第１の照明部）５０３Ａと、第２の光源（第２の照明部）５０３Ｂと、第１のダイクロイックミラー５０５Ａと、第２のダイクロイックミラー５０５Ｂと、第３のダイクロイックミラー５０７と、対物レンズ系９と、第１の結像レンズ系１０と、第１の撮像部３１１と、第２の結像レンズ系５１２と、第２の撮像部３１５と、駆動制御部１７と、表示部１９とを備えている。
【００９５】
第１の光源５０３Ａは、標本ＳおよびマーカＭから第１の蛍光を発生させる第１の照明光を出射するものであって、第１のダイクロイックミラー５０５Ａに向けて第１の照明光を出射するものである。また、第１の光源５０３Ａは、出射する第１の照明光の光量を調節することができるものである。
第２の光源５０３Ｂは、標本Ｓから第２の蛍光を発生させる第２の照明光を出射するものであって、第２のダイクロイックミラー５０５Ｂに向けて第２の照明光を出射するものである。また、第２の光源５０３Ｂは、出射する第２の照明光の光量を調節することができるものである。
【００９６】
第１のダイクロイックミラー５０５Ａは、第３のダイクロイックミラー５０７と第１の撮像部３１１との間の光路上に配置されている。一方、第２のダイクロイックミラー５０５Ｂは、第３のダイクロイックミラー５０７と第２の撮像部３１５との間の光路上に配置されている。
【００９７】
第１のダイクロイックミラー５０５Ａは、第３のダイクロイックミラー５０７と第１の吸収フィルタ２３との間に配置されているとともに、第１の光源５０３Ａから入射した第１の照明光を第３のダイクロイックミラー５０７に向けて反射する姿勢に配置されている。
ここで、第１のダイクロイックミラー５０５Ａは、標本Ｍから第１の撮像部３１１に撮像される第１の蛍光を励起させる所定波長の第１の照明光のみを反射し、残りの波長の光を透過するものである。そのため、第１のダイクロイックミラー５０５Ａは、第１の蛍光を透過する。
【００９８】
第２のダイクロイックミラー５０５Ｂは、後述する第２レンズ３１２Ｂと第２の吸収フィルタ２７との間に配置されているとともに、第２の光源５０３Ｂから入射した照明光を第３のダイクロイックミラー５０７に向けて反射する姿勢に配置されている。
ここで、第２のダイクロイックミラー５０５Ｂは、標本Ｍから第２の撮像部３１５に撮像される第２の蛍光を励起させる所定波長の第２の照明光のみを反射し、残りの波長の光を透過するものである。そのため、第２のダイクロイックミラー３０５Ｂは、第２の蛍光を透過する。
【００９９】
第３のダイクロイックミラー５０７は、対物レンズ系９から第１の撮像部３１１に向かう光路と、対物レンズ系９から第２の撮像部３１５に向かう光路との分岐点に配置されている。また、第３のダイクロイックミラー５０７は、第２の照明光を対物レンズ系９に向けて反射するとともに、第２の蛍光を第２の撮像部３１５に向けて反射する姿勢に配置さている。なお、第１の照明光および第１の蛍光は第３のダイクロイックミラー５０７を透過する。
【０１００】
第２の結像レンズ系５１２は、第１レンズ５１２Ａと、ピンホールディスク５１２Ｐと、第２レンズ５１２Ｂと、第３レンズ５１２Ｃと、を備えている。
第１レンズ５１２Ａは、第３のダイクロイックミラー５０７から反射した光をピンホールディスク５１２Ｐに集光するレンズである。第１レンズ５１２Ａは、第３のダイクロイックミラー５０７とピンホールディスク５１２Ｐとの間に配置されている。
ピンホールディスク５１２Ｐは第１レンズ５１２Ａと第２レンズ５１２Ｂとの間に配置され、ピンホールディスク５１２Ｐにおける第１レンズ５１２Ａによる集光点には、貫通孔であるピンホールが形成されている。
第２レンズ５１２Ｂは、ピンホールディスク５１２Ｐのピンホールを透過した光を平行光に変換するレンズである。第２レンズ５１２Ｂは、ピンホールディスク５１２Ｐと第２のダイクロイックミラー５０５Ｂとの間に配置されている。
第３レンズ５１２Ｃは、第２の吸収フィルタ２７を透過した蛍光を第２の撮像部３１５に結像させるレンズである。第３レンズ５１２Ｃは、第２の吸収フィルタ２７と第２の撮像部３１５との間に配置されている。
【０１０１】
次に、上記の構成からなる観察装置５０１における作用について説明する。
標本Ｓに蛍光を発生するマーカＭを分散配置する方法については、第１の実施形態と同様であるので、その説明を省略する。
【０１０２】
標本Ｓの蛍光像を観察する場合には、図１４に示すように、第１の光源５０３Ａから第１の照明光が出射されるとともに、第２の光源５０３Ｂから第２の照明光が出射される。
第１の照明光は、第１のＥＸフィルタ３０９Ａおよび第１のＮＤフィルタ３１０Ａを透過して第１のダイクロイックミラー５０５Ａに入射される。第１のダイクロイックミラー５０５Ａは第１の照明光を反射し、他の波長の照明光等は透過する。反射された第１の照明光は第３のダイクロイックミラー５０７を透過し、対物レンズ系９に向けて反射される。
対物レンズ系９に入射された第１の照明光は、標本ＳおよびマーカＭに向けて出射される。
【０１０３】
第２の照明光は、第２のＥＸフィルタ３０９Ｂと第２のＮＤフィルタ３１０Ｂとを透過して第２のダイクロイックミラー５０５Ｂに入射される。第２のダイクロイックミラー５０５Ｂは第２の照明光を反射し、他の波長の照明光等は透過する。反射された第２の照明光は第３のダイクロイックミラー５０７に入射し、対物レンズ系９に向けて反射される。
対物レンズ系９に入射された第２の照明光は、標本ＳおよびマーカＭに向けて出射される。
【０１０４】
第１および第２の照明光が照射された標本Ｓからは、それぞれ第１の蛍光および第２の蛍光が発生する。一方、マーカＭからは第１の蛍光のみが発生する。第１および第２の蛍光は、対物レンズ系９に入射して、第３のダイクロイックミラー５０７に入射される。
第３のダイクロイックミラー５０７に入射した第１の蛍光は第３のダイクロイックミラー５０７を透過する一方、第２の蛍光は第２の撮像部３１５に向けて反射される。
第３のダイクロイックミラー５０７を透過した第１の蛍光は、第１のダイクロイックミラー５０５Ａおよび第１の吸収フィルタ２３を透過して第１の撮像部３１１に入射する。
【０１０５】
第３のダイクロイックミラー５０７に反射された第２の蛍光は、第１レンズ３１２Ａによりピンホールディスク５１２Ｐに集光される。ピンホールを透過した光は、第２レンズ３１２Ｂに入射した後、第２のダイクロイックミラー５０５Ｂに向けて出射される。その後、第２の蛍光は、第２のダイクロイックミラー５０５Ｂおよび第２の吸収フィルタ２７を透過して第２の撮像部３１５に入射する。
【０１０６】
以後の駆動制御部１７による制御方法および撮像された蛍光像の表示方法については、第２の実施形態と同様であるので、その説明を省略する。
【０１０７】
上記の構成によれば、第１の光源５０３Ａと第２の光源５０３Ｂとを備えることにより、第１の照明光と第２の照明光とを別々に出射することができるとともに、第１の照明光および第２の照明光それぞれの光量を別々に制御することができる。
【０１０８】
第１の照明光の光量と第２の照明光の光量とを、それぞれ独立して制御することにより、標本ＳおよびマーカＭから発生する第１の蛍光の光量と上記第２の蛍光の光量とを、それぞれ独立して制御することができる。そのため、第１の蛍光像と第２の蛍光像とをより確実に撮像することができる。
例えば、第１の撮像部３１１の撮像速度が第２の撮像部３１５の撮像速度より速い場合には、第１の照明光の光量を第２の照明光の光量よりも増やすことにより、第１の撮像部３１１により撮像された画像が、第２の撮像部３１５により撮像された画像よりも暗くなることを防ぎ、第１および第２の蛍光像をより確実に撮像することができる。
【図面の簡単な説明】
【０１０９】
【図１】本発明の第１の実施形態に係る観察装置の構成を説明する概略図である。
【図２】図１の第１の撮像部および第２の撮像部の撮像領域を説明する図である。
【図３】図１の標本における第１の領域および第２の領域の位置関係を説明する図である。
【図４】図１の表示部における表示画像を説明する図である。
【図５】本発明の第１の実施形態における第１変形例に係る観察装置の構成を説明する概略図である。
【図６】図６の第１の撮像部および第２の撮像部の撮像領域を説明する図である。
【図７】図６の第１の撮像部および第２の撮像部の撮像領域を説明する図である。
【図８】本発明の第１の実施形態における第２変形例に係る観察装置の構成を説明する概略図である。
【図９】図８の第１の撮像部および第２の撮像部の撮像領域を説明する図である。
【図１０】図８の標本における第１の領域および第２の領域の位置関係を説明する図である。
【図１１】本発明の第２の実施形態に係る観察装置の構成を説明する概略図である。
【図１２】図１１の第１の撮像部に結像される第１の蛍光像を説明する図である。
【図１３】図１１の第２の撮像部に結像される第２の蛍光像を説明する図である。
【図１４】本発明の第２の実施形態の第１変形例に係る観察装置の構成を説明する概略図である。
【図１５】本発明の第２の実施形態の第２変形例に係る観察装置の構成を説明する概略図である。
【符号の説明】
【０１１０】
１，１０１，２０１，３０１，４０１，５０１  観察装置
１１  第１の撮像部
１５  第２の撮像部
１７  駆動制御部（駆動部）
Ｓ１  第１の領域
Ｓ２  第２の領域
１１Ｐ，２１１Ｐ  第１の像
１５Ｐ，１１５Ｐ，２１５Ｐ  第２の像
１１２  遮蔽板（遮蔽部）
２０９  対物レンズ系（第１の光学系，第２の光学系）
２１０  第１の結像レンズ系（第１の光学系）
２１２  第２の結像レンズ系（第２の光学系）
４０３Ａ，５０３Ａ  第１の光源（第１の照明部）
４０３Ｂ，５０３Ｂ  第２の光源（第２の照明部）
【図１】
2008052139.tif 000003
【図２】
2008052139.tif 000004
【図３】
2008052139.tif 000005
【図４】
2008052139.tif 000006
【図５】
2008052139.tif 000007
【図６】
2008052139.tif 000008
【図７】
2008052139.tif 000009
【図８】
2008052139.tif 000010
【図９】
2008052139.tif 000011
【図１０】
2008052139.tif 000012
【図１１】
2008052139.tif 000013
【図１２】
2008052139.tif 000014
【図１３】
2008052139.tif 000015
【図１４】
2008052139.tif 000016
【図１５】
2008052139.tif 000017